(57)【要約】【課題】低濃度、低温度の有機性排水を効率的に嫌気性処理可能な嫌気性処理装置を提供することを課題とする。【解決手段】槽１内に流入する有機性排水を槽１内のグラニュール汚泥を用いて嫌気性処理する装置であって、流速情報取得手段１１により槽１内の流速に関連する情報を取得し、濃度情報取得手段１２により槽１内の濃度に関連する情報を取得する。比較手段１３により流速に関連する情報に基づく濃度曲線と濃度に関連する情報とを比較し、この比較結果に基づいて制御手段１４により槽１内への流入流量を制御する。これによって、槽１内における有機物濃度を変化させ、槽１内の有機物濃度を、低濃度、低温度の有機性排水を最適に嫌気性処理できる濃度曲線に近づけるように制御し、低濃度、低温度の有機性排水を効率的に嫌気性処理する。【選択図】図１
2015229150.tif 000002
【特許請求の範囲】
【請求項１】
容器内に流入する有機性排水を前記容器内のグラニュール汚泥を用いて嫌気性処理する装置であって、
前記容器内の流速に関連する情報を取得する流速情報取得手段と、
前記容器内の濃度に関連する情報を取得する濃度情報取得手段と、
前記流速に関連する情報に基づいた濃度曲線と前記濃度に関連する情報とを比較する比較手段と、
前記比較手段による比較結果に基づいて前記容器内への流入流量を制御する制御手段と、を備えることを特徴とする嫌気性処理装置。
【請求項２】
前記容器内で嫌気性処理された処理水の一部を循環して戻すラインを備え、
前記ラインに流量を調整する流量調整手段が設けられていることを特徴とする請求項１に記載の嫌気性処理装置。
【請求項３】
容器内に流入する有機性排水を前記容器内のグラニュール汚泥を用いて嫌気性処理する方法であって、
前記容器内の流速に関連する情報を取得する流速情報取得ステップと、
前記容器内の濃度に関連する情報を取得する濃度情報取得ステップと、
前記流速に関連する情報に基づいた濃度曲線と前記濃度に関連する情報とを比較する比較ステップと、
前記比較ステップにより得られた比較結果に基づいて前記容器内への流入流量を制御する制御ステップと、を含むことを特徴とする嫌気性処理方法。
【請求項４】
容器内に流入する有機性排水を前記容器内のグラニュール汚泥を用いて嫌気性処理する嫌気性処理装置の表示装置であって、
前記容器内の流速に関連する情報に基づいた濃度曲線と前記容器内の濃度に関連する情報とを比較した比較結果を表示することを特徴とする嫌気性処理装置の表示装置。
【発明の詳細な説明】
【技術分野】
【０００１】
本発明は、嫌気性処理装置と、嫌気性処理方法と、嫌気性処理装置の表示装置と、に関する。
【背景技術】
【０００２】
従来、有機成分が含まれる有機性排水の嫌気性処理において、以下のことが知られている。有機性排水の温度が低温度（例えば、10-20℃）の場合、メタンを生成する微生物（グラニュール汚泥）の増殖速度及び基質分解速度が低下するため、有機性排水の処理性能が低下する。また、有機性排水中の有機物濃度が低濃度（例えば、0.15-1g/L）の場合も、メタンを生成する微生物が嫌気性処理に必要な有機物を確保できないため、有機性排水の処理性能が低下する。
【０００３】
下記の特許文献１に記載の嫌気性処理方法では、低温度又は低濃度の有機性排水を嫌気性処理する方法として、ワンパスモードと、循環モードとが繰り返し行われる。ワンパスモードでは、有機性排水が循環することなく容器内のグラニュール汚泥により嫌気性処理される。一方、循環モードでは、有機性排水が循環させられて上記グラニュール汚泥により嫌気性処理される。このような複数のモード（形態）が繰り返しわれることにより、容器内が物理的に繰り返し撹拌される。そして、この嫌気性処理方法では、ワンパスモード及び循環モードの何れのモードにおいても、反応槽の高さ方向の異なる複数箇所から低濃度有機性排水が分配供給可能とされる。さらに循環モードにおいては、反応槽上部から取り出された嫌気処理水を反応槽の高さ方向の異なる複数箇所に戻すことが可能とされる。従って、ワンパスモード及び循環モードの何れのモードにおいても、反応槽の上方に向かって有機物濃度が低下することが抑制される。このため、反応槽内における基質濃度をメタン生成細菌の基質飽和定数以上に維持することができ、反応槽全体におけるメタン生成細菌などの保持汚泥の有機物分解能を向上せることができる。
【先行技術文献】
【特許文献】
【０００４】
【特許文献１】特許第４９８２７８９号公報
【発明の概要】
【発明が解決しようとする課題】
【０００５】
このように、低濃度、低温の有機性排水を効率的に嫌気性処理することが鋭意研究されており、さらなる研究が進められている。
【０００６】
そこで、本発明は、低濃度、低温度の有機性排水を効率的に嫌気性処理可能な嫌気性処理装置、嫌気性処理方法、及び、当該嫌気性処理装置に備えられる表示装置を提供することを目的とする。
【課題を解決するための手段】
【０００７】
本発明者らは、低濃度、低温度の有機性排水をより一層効率的に嫌気性処理し得る構成について、有機性排水中の有機物濃度に着目し、鋭意研究を行った。その結果、この有機物濃度が嫌気処理に最適な濃度であれば、低濃度、低温度の有機性排水であっても、有機性排水を効率的に嫌気性処理できることを見出した。
【０００８】
本発明に係る嫌気性処理装置は、容器内に流入する有機性排水を容器内のグラニュール汚泥を用いて嫌気性処理する装置であって、容器内の流速に関連する情報を取得する流速情報取得手段と、容器内の濃度に関連する情報を取得する濃度情報取得手段と、流速に関連する情報に基づいた濃度曲線と濃度に関連する情報とを比較する比較手段と、比較手段による比較結果に基づいて容器内への流入流量を制御する制御手段と、を備えることを特徴とする。
【０００９】
また、本発明に係る嫌気性処理方法は、容器内に流入する有機性排水を容器内のグラニュール汚泥を用いて嫌気性処理する方法であって、容器内の流速に関連する情報を取得する流速情報取得ステップと、容器内の濃度に関連する情報を取得する濃度情報取得ステップと、流速に関連する情報に基づいた濃度曲線と濃度に関連する情報とを比較する比較ステップと、前記比較ステップにより得られた比較結果に基づいて容器内への流入流量を制御する制御ステップと、を含むことを特徴とする。
【００１０】
このような、嫌気性処理装置及び嫌気性処理方法によれば、容器内の流速に関連する情報と容器内の濃度に関連する情報とが取得され、流速に関連する情報に基づく濃度曲線と濃度に関連する情報とが比較される。この比較結果に基づいて容器内への流入流量が制御されるため、容器内における濃度を変化させることができ、容器内の濃度を上記濃度曲線に近づけるように制御することができる。よって、上記濃度曲線を低濃度、低温度の有機性排水の嫌気性処理に最適な濃度曲線とすることにより、低濃度、低温度の有機性排水を効率的に嫌気性処理することができる。
【００１１】
ここで、容器内で嫌気性処理された処理水の一部を循環して戻すラインを備え、ラインに流量を調整する流量調整手段が設けられていると、容器内の処理水を循環させることができる。このため、容器内のメタンを生成する微生物の活性及び増殖を制御することができ、容器内の有機物濃度を最適な値に制御することができる。
【００１２】
また、本発明に係る嫌気性処理装置の表示装置は、容器内に流入する有機性排水を容器内のグラニュール汚泥を用いて嫌気性処理する嫌気性処理装置の表示装置であって、容器内の流速に関連する情報に基づいた濃度曲線と容器内の濃度に関連する情報とを比較した比較結果を表示することを特徴とする。
【００１３】
このような表示装置によれば、容器内の流速に関連する情報に基づく濃度曲線と容器内の濃度に関連する情報とが比較された比較結果が表示される。このため、上記濃度曲線を低濃度、低温度の有機性排水の嫌気性処理に最適な濃度曲線とすることにより、この最適な濃度曲線と容器内の濃度との隔たりの情報を表示できる。さらに、この情報を作業者やオペレーターが素早く把握することができる。
【発明の効果】
【００１４】
このように、本発明によれば、低濃度、低温度の有機性排水を効率的に嫌気性処理可能な嫌気性処理装置、嫌気性処理方法、及び、当該嫌気性処理装置に備えられる表示装置を提供することができる。
【図面の簡単な説明】
【００１５】
【図１】本発明の実施形態に係る嫌気性処理装置を示す概略構成図である。
【図２】図１中の制御装置における処理手順を示すフローチャートである。
【図３】本発明の実施形態に係る濃度曲線を示す図である。
【図４】本発明の実施形態に係る他の濃度曲線を示す図である。
【発明を実施するための形態】
【００１６】
以下、図面を参照して、本発明の好適な実施形態について詳細に説明する。
【００１７】
（第一実施形態）
図１は、本発明の実施形態に係る嫌気性処理装置を示す概略構成図、図２は、図１中の制御装置における処理手順を示すフローチャートである。
【００１８】
図１に示されるように、嫌気性処理装置１００は、有機性排水を嫌気性処理するものであり、嫌気性処理槽である槽１（容器）を主体として備えると共に、この槽１の前段に酸生成槽２を備える。
【００１９】
槽１は、グラニュール汚泥床Ｇの粒状化を促進させて膨張させることにより有機成分を含む被処理液との接触効率を向上するようにしたＥＧＳＢ（Expanded Granular Sludge Bed：膨張粒状汚泥床）処理装置である。
【００２０】
酸生成槽２は、有機性排水を槽１に導入するためのラインＬ１の途中に設けられ、有機性排水をメタン発酵に適した被処理液とすべく有機酸化するものである。ラインＬ１は、酸生成槽２より下流位置に、酸生成槽２の被処理液を槽１に圧送するためのポンプ３（流量調整手段）を有する。
【００２１】
槽１は、ラインＬ１からの被処理液である有機性排水を槽１内の下部から導入管４を通して導入し嫌気性処理を行うものであり、ここでは、円筒の上下端が閉じられた形状とされ、槽１内の下部に、グラニュール汚泥床Ｇが形成される。グラニュール汚泥床Ｇでは、メタンを生成する微生物が自己凝集して微粒子化したグラニュール状の嫌気性汚泥が堆積している。
【００２２】
槽１内のグラニュール汚泥床Ｇより上方には、槽１内での嫌気性処理（メタン発酵処理）により発生したメタンを含むバイオガス、グラニュール汚泥、及び処理水をそれぞれ分離するための三相分離部６が設けられる。
【００２３】
槽１の上部には、三相分離部６で分離された処理水を後段に排出するためのラインＬ２が接続されると共に、処理水の一部を循環して酸生成槽２に返送するためのラインＬ３が接続される。ラインＬ３は、酸生成槽２又は酸生成槽２より上流に接続される。ラインＬ３は、処理水を下流側に圧送するポンプ８（流量調節手段）を有する。
【００２４】
ここで、本実施形態では、ラインＬ１に、有機性排水中の有機物濃度を検出する濃度センサ９が配設される。なお、濃度センサ９は、槽１内の後述する導入管４内に設けられてもよい。この場合であっても、槽１内に流入される有機排水中の有機物濃度を検出することができる。また、槽１内に、有機性排水中の有機物濃度を検出する濃度センサ５が配置されている。濃度センサ５は、槽１内の上下方向に沿って複数個設置されている。濃度センサ５は、上下方向に互いに等間隔に設置されていてもよい。このように構成することにより、槽１内の有機性排水の有機物濃度を上下方向に等間隔に検出することができる。
【００２５】
また、三相分離部６には、槽１内の有機性排水の流速を検出する流速センサ７が配置される。この流速センサ７は、気液から固体を分離するためのセトラー６ａの下方に配置される。流速センサ７は、例えば、導入管４内を流れる有機性排水の線速度を測定してもよい。この場合、導入管４内を流れる有機性排水の線速度を槽１内の流速に関連する情報として取得できる。
【００２６】
特に、本実施形態の嫌気性処理装置１００は、濃度センサ９及び流速センサ７からの出力に基づいて容器内の濃度曲線を算出する制御装置１０を備える。この制御装置１０は、濃度センサ５による実測値を濃度曲線に近づけるように、ポンプ３又はポンプ８の駆動をそれぞれ制御する。
【００２７】
制御装置１０は、流速情報取得手段１１と、濃度情報取得手段１２と、比較手段１３と、制御手段１４と、を有する。さらに、制御装置１０は、濃度センサ５，９及び流速センサ７からの出力情報を記憶するＲＡＭ及び制御手段１４の処理手順をプログラムの形で格納するＲＯＭを備える。
【００２８】
流速情報取得手段１１は、流速センサ７により槽１内の流速情報を取得する。流速情報は、セトラー６ａの近傍の有機性排水の流速である。なお、流速情報はこれに限定されるものではなく、槽１内の他の位置において測定された情報でもよい。流速センサ７により取得された流速情報は、後述する濃度曲線の算出に用いられる。
【００２９】
濃度情報取得手段１２は、濃度センサ９により濃度情報を取得する。濃度センサ９により取得された濃度情報は、後述する濃度曲線の算出に用いられる。また、濃度情報取得手段１２は、濃度センサ５により槽１内の濃度情報を取得する。濃度情報は、槽１内の上下複数の位置における有機性排水の有機物濃度である。
【００３０】
比較手段１３は、流速情報に基づいた濃度曲線と濃度情報とを比較する。流速情報に基づいた濃度曲線については後述する。
【００３１】
制御手段１４は、比較手段１３による比較結果に基づいて、濃度センサ５により測定された濃度が濃度曲線にて与えられる濃度に近づくように、ポンプ３の駆動を制御することにより槽１への流入流量を制御する。あるいは、制御手段１４は、濃度センサ５により測定された濃度が濃度曲線にて与えられる濃度に近づくように、ポンプ８の駆動を制御することにより循環する処理水の量を制御し、槽１への流入流量を制御する。
【００３２】
ここで、濃度曲線について説明する。嫌気性処理においては、グラニュール汚泥中のメタンを生成する微生物（嫌気性菌等）が槽１内の有機物を分解することにより、有機性排水中の有機物濃度が変化する。発明者らは、有機物質の濃度が低い排水を嫌気処理する場合、微生物が有機物を効率的に分解するための最適な有機物濃度が存在することを見出した。また、このとき、槽１内の物質収支の式は、以下の（１）式にて表せる。
【数１】
2015229150.tif 000003
【００３３】
ここで、拡散係数D、反応次数n、流速u、槽１に流入する有機性排水中の有機物濃度CA、反応速度定数κは、実験により測定される値又は実験値に対応する値を用いることができる。また、変数ｌは槽１の深さ方向に対応する量である。（１）式において、槽１の深さに対応する変数ｌが無次元量化されるように変数変換を行うとともに、物質収支の式における反応を一次反応とすると、以下の（２）式に示す濃度依存の式が得られる。
【数２】
2015229150.tif 000004
【００３４】
ここで、槽１における有機物濃度XA、槽に流入する有機性排水中の有機物濃度CA0、滞留時間τは、実験により測定される値を用いる。また、変数zは槽１の深さ方向に対応する量とし、カラム長Ｌは上記（１）式を数値的に計算する際に適宜設定する。上記（１）式を一次化学反応式として解析的に解くことにより、以下の濃度曲線を表す（２）式及び（３）式が算出できる。
【数３】
2015229150.tif 000005
【数４】
2015229150.tif 000006
【００３５】
ここで、図３に、上記（３）式及び（４）式より得られる濃度曲線を示す。濃度曲線は、槽１内の高さ（深さ方向の位置）における濃度を表しており、槽１内の有機物濃度の濃度分布に対応する。図３において縦軸が槽の高さ（m）であり、横軸が有機物濃度（g／L）である。変数及び定数は、拡散係数D=3.0×10-5m2/sec、流速u=1.86×10-4m/sec、有機物濃度CA0の初期値=0.9kg/m3、滞留時間τ=4836sec、反応速度定数κ=0.2×10-2m-1である。流速uの値としては、流速センサ７により得られる槽１内の流速を用いる。有機物濃度CA0の初期値としては、濃度センサ９により得られる槽１に流入する有機性排水中の有機物濃度を用いる。なお、上記変数は、これらの値に限定されず、実験により測定される値、文献等に記載の値などを含む値を適宜設定してよい。
【００３６】
なお、上述した（２）式は、一次反応の場合であり、基質濃度が十分に高い領域では０次反応となるため、適用することが好ましくない。このため、反応速度κCAn項を以下の（５）式に示されるようにミカエリス・メンテン（Michaelis-Menten）の式として、ルンゲクッタ法による数値解を求めてもよい。
【数５】
2015229150.tif 000007
【００３７】
ここで、最大反応速度Vmaxは有機物濃度CAが無限大のときの反応速度をあらわし、モノー定数Ksは、最大速度の半分の速度を与える濃度を表す。
【００３８】
ミカエリス・メンテンの式を採用した物質収支の式を用いることにより、反応次数が変化する場合の濃度曲線を算出することができる。すなわち、反応速度が反応物の濃度に依存しない場合の０次反応である場合であっても、反応速度が濃度依存の一次反応である場合であっても、濃度曲線を連続的に算出することができる。
【００３９】
ここで、図４に、ルンゲクッタ法による数値解より得られる濃度曲線を示す。図４において縦軸が槽高（m）であり、横軸が有機物濃度（g／L）である。図４に示される濃度曲線は、以下の変数及び定数を用いて算出した。また、拡散係数D=3.2×10-4m2/sec、流速u=1.86×10-4m/sec、滞留時間τ=4836sec、最大反応速度Vmax=2.0×10-4m/sec、モノー定数Ks=0.8である。なお、上記変数は、これらの値に限定されず、実験により測定される値、文献等に記載の値などを含む値を適宜設定してもよい。このように設定した場合であっても、上述した方法により濃度曲線を算出することができる。
【００４０】
このように濃度曲線は、有機性排水の濃度又は嫌気性処理における化学反応の反応次数（反応速度）に併せて算出できる。従って、嫌気性処理が有機性排水中の有機物濃度に比例して起こっている場合は、図３に示される濃度曲線を選択することができる。一方、嫌気性処理が有機性排水中の有機物濃度に比例することなく起こる場合は、図４に示される濃度曲線を選択することができる。すなわち、槽１内に流入する有機性排水を嫌気性処理するために最適な（理想の）濃度曲線を選択することができる。
【００４１】
このような構成を有する嫌気性処理装置１００によれば、有機成分を含む被処理液が槽１内の下部から導入され、グラニュール汚泥に接触しながら上向きに流動する。これにより、被処理液の有機成分がグラニュール汚泥により分解し、有機性排水が嫌気性処理される。そして、処理水の一部が酸生成槽２に戻されることにより、酸生成菌の流出を回避できると共に、酸生成槽２内の有機性排水の希釈を図ることができる。
【００４２】
一方、上記嫌気処理に並行して、制御装置１０による以下の処理手順（嫌気性処理方法）が実行される。この処理手順について、図２に示すフローチャートを参照しながら説明する。
【００４３】
まず、ステップＳ１（流速情報取得ステップ）において、流速情報取得手段１１は、流速センサ７により槽１内の流速情報を取得する。
【００４４】
次に、ステップＳ２（濃度情報取得ステップ）において、濃度情報取得手段１２は、濃度センサ５，９により、濃度情報を取得する。
【００４５】
ステップＳ３（比較ステップ）において、上述した濃度曲線を流速情報及び濃度情報に基づいて算出し、比較手段１３は、流速情報に基づいた濃度曲線と濃度情報とを比較する。ここで、上述したように有機性排水の濃度、嫌気性処理における化学反応の反応次数（反応速度）にあわせて、例えば、図３又は図４に示される濃度曲線が選択される。なお、濃度曲線は流速センサ７及び濃度センサ９から得られる流速情報及び濃度情報に基づいて予め算出し、記憶させておいてもよい。このように構成した場合、比較手段は、予め記憶させた濃度曲線と、測定された濃度情報とを比較することができる。
【００４６】
そして、ステップＳ４（制御ステップ）において、制御手段１４は、比較手段１３による比較結果に基づいて、測定される槽１内の濃度が、濃度曲線にて与えられる濃度に近づくように槽１内への流入流量を制御する。
【００４７】
具体的には、例えば図３に示すように、槽１内における濃度センサ５による有機物濃度の実測値（■印）が濃度曲線（実線）に近づくように、槽１内への流入流量を制御する。従って、本実施形態においては、低濃度の有機性排水を効率的に嫌気処理できる。このため、有機性排水が低温度であっても有機性排水を効率的に嫌気処理できる。
【００４８】
また、本実施形態においては、槽１内で嫌気性処理された処理水の一部を循環して戻すラインＬ３を備え、ラインＬ３には流量を調整するポンプ８が設けられ、槽１内の処理水を循環させることができる。このため、槽１内のメタンを生成する微生物の活性を制御することができ、槽１内の有機物濃度を最適な値に制御することができる。なお、このような機能を発揮するためには、ラインＬ３は、酸生成槽２の下流側に接続してもよい。このように構成した場合であっても、槽１内の処理水を循環させることができる。
【００４９】
（第二実施形態）
第二実施形態では、嫌気性処理装置１００に表示装置２０が付設されている。この表示装置２０は、前述した流速情報取得手段１１、濃度情報取得手段１２、比較手段１３、を備えると共に、表示手段２１を新たに備える。
【００５０】
表示手段２１は、ディスプレイを有し、このディスプレイに比較手段１３による比較結果を表示する。
【００５１】
このような表示装置２０によれば、上述した比較結果が表示される、すなわち、最適な濃度曲線と槽１内の濃度との隔たりの情報を表示できるため、この情報を作業者やオペレーターが素早く把握することができる。
【００５２】
なお、表示装置２０は、槽１が設置されている現地にて用いられても、現地から離れた遠隔地に用いられてもよい。すなわち、表示装置２０は、伝送手段（不図示）を介して伝送された流速に関連する情報又は濃度に関連する情報に基づいて、遠隔地にて比較を行う構成であってもよい。あるいは、表示装置２０は、伝送手段を介して伝送された比較結果を表示する構成であってもよい。このように表示装置２０が遠隔地に設けられている場合であっても、最適な濃度曲線と槽１内の濃度との隔たりの情報を表示できるため、この情報を遠隔地にいる作業者やオペレーターが素早く把握することができる。
【００５３】
以上、本発明をその実施形態に基づき具体的に説明したが、本発明は上記実施形態に限定されるものではなく、例えば、上記実施形態においては、特に好ましいとして、濃度センサ５により槽１内の有機物濃度を測定している。しかし、濃度センサ５を用いることなく、槽１内の有機性排水を採取し、濃度を測定してもよい。このように濃度を測定することにより、槽１内の任意の位置における有機物濃度を測定することができるため、槽１内の有機物濃度を、精度よく濃度曲線に近づけることができる。
【００５４】
また、上記実施形態においては、嫌気性処理装置１００は、槽１の前段に酸生成槽２を備えているが、これに限定されない。例えば、有機性排水中の有機酸が十分に生成されている場合、酸生成槽２を配置しなくてもよい。このように構成することにより、酸生成槽２の構成を省略することができるので、簡易な構成により嫌気性処理を行うことができる。また、例えば、処理対象の排水の種類によっては、酸生成槽２に代えて、調整槽又は混合槽を配置してもよい。
【００５５】
また、上記実施形態においては、流速情報としてセトラー６ａ近傍の有機性排水の流速を取得しているが、これに限定されない。例えば、槽１内の別の位置の有機性排水の流速を取得し、また、流速情報は流速に関連する情報（流速に換算可能な情報）であればよい。また、濃度に関連する情報（濃度に換算可能な情報）であればよい。
【００５６】
また、上記実施形態においては、流速センサ７を用いて流速情報を取得しているが、これに限定されない。流速情報は、例えば、流量計等を用いて取得してもよい。この場合、例えば、有機性排水が通過する単位面積当たりの流量を測定することにより、流速情報を取得することができる。あるいは、有機性排水が通過する配管等に設けられたバルブの開度を流速情報として取得してもよい。この場合、バルブの開度に関連して設定される値を流速情報として用いることができる。また、グラニュールレベル、又はグラニュールの流動状態を例えば画像解析することにより、流速情報を取得してもよい。
【００５７】
また、上記実施形態においては、濃度センサ５を用いて濃度情報を取得しているが、これに限定されない。濃度情報は、例えば、吸光度計を用いて測定される吸光度等の濃度に関連する情報から取得してもよく、濁度計を用いて測定される濁度等の濃度に関連する情報から取得してもよい。
【００５８】
また、上記実施形態においては、制御手段１４は、槽１内に設定した一箇所の濃度が濃度曲線にて与えられる濃度に近づくように制御しているが、複数個所の濃度が濃度曲線にて与えられる濃度に近づくように制御してもよい。これによれば、槽１内の複数個所の濃度が濃度曲線にて与えられる濃度に近づけられるため、より一層槽１内の濃度が濃度曲線にて与えられる濃度に近づく。
【００５９】
また、上記実施形態においては、嫌気性処理装置１００を、ＥＧＳＢタイプの嫌気性処理装置としているが、嫌気性微生物が自己凝集して微粒子化したグラニュール状の嫌気性汚泥を有するＵＡＳＢ（Upflow Anaerobic Sludge Blanket：上向流嫌気性汚泥床）処理装置に対しても勿論適用可能である。要は、槽１内に流入する有機性排水を槽１内のグラニュール汚泥床Ｇを用いて嫌気性処理する装置に対して適用できる。
【符号の説明】
【００６０】
１…槽（容器）、２…酸生成槽、５…濃度センサ（濃度情報取得手段）、７…流速センサ（流速情報取得手段）、１１…流速情報取得手段、１２…濃度情報取得手段、１３…比較手段、１４…制御手段、２０…表示装置、２１…表示手段、１００…嫌気性処理装置。
【図１】
2015229150.tif 000008
【図２】
2015229150.tif 000009
【図３】
2015229150.tif 000010
【図４】
2015229150.tif 000011